(57)【要約】【課題】プリント速度が速く、パターンがはっきりとしてきれいで、色があでやかで退色し難しく、かつ、パターン選択が自由な植物及び人工植物の表面に絵や文字などをプリントする設備を提供する。【解決手段】本考案はプリンタに関し、特に植物及び人工植物の表面に絵や文字などをプリントする装置に関する。該装置はハウジング（１０）を備え、該ハウジング内には、植物及び人工植物を挟持するための挟持装置（４０）と、その表面に絵や文字などをプリント可能なプリントユニット（２０）とが設けられている。プリントユニットは、外接されたコンピュータ、又はハウジング内に統合されたコンピュータに接続される。本考案に関わる前記プリントユニットはインクジェットであり、植物及び人工植物、特に花、造花、葉、果物などの表面に絵や文字などをプリントすることに用いることができる。これらの物自身を利用して情報を伝え、人々のニーズを満たすことができる。【選択図】図２
0003141795.tif 000002
【実用新案登録請求の範囲】
【請求項１】
植物及び人工植物の表面に絵又は文字をプリントする装置であって、
ハウジングを備え、該ハウジング内には、植物及び人工植物を挟持するための挟持装置と、植物及び人工植物の表面に絵又は文字をプリント可能なプリントユニットとが設けられ、プリントユニットが、外接されたコンピュータ、又はハウジング内に統合されたコンピュータに接続されることを特徴とする装置。
【請求項２】
請求項１に記載の植物及び人工植物の表面に絵又は文字をプリントする装置において、
プリントユニットがプリントブラケットを備え、該プリントブラケットは挟持装置に対して縦方向に移動し、該プリントブラケットにはプリントヘッドが設けられ、該プリントヘッドがブラケットに対して横方向に移動可能であることを特徴とする装置。
【請求項３】
請求項２に記載の植物及び人工植物の表面に絵又は文字をプリントする装置において、
挟持装置がハウジングに固定され、ハウジングにはさらにブラケット駆動装置が設けられ、ブラケット駆動装置はコンピュータに接続されて、プリントブラケットを駆動して挟持装置に対して縦方向に移動させることを特徴とする装置。
【請求項４】
請求項３に記載の植物及び人工植物の表面に絵又は文字をプリントする装置において、
ブラケット駆動装置はハウジングに設けられたモータを含み、プリントブラケットはハウジングと縦方向に滑動できる構造を形成し、プリントブラケットには相応の滑り溝が設けられ、モータは伝動装置によりプリントブラケットを動かして縦方向に滑動させ、挟持装置がハウジングに固定されていることを特徴とする装置。
【請求項５】
請求項４に記載の植物及び人工植物の表面に絵又は文字をプリントする装置において、
前記伝動装置はハウジングに設けられた二つのベルトプーリを含み、これらはベルトにより連接され、ベルトが所定の位置でプリントブラケットに固定されていることを特徴とする装置。
【請求項６】
請求項５に記載の植物及び人工植物の表面に絵又は文字をプリントする装置において、
プリントブラケットの他端位置に補助ベルトプーリと第二従動ベルトプーリとが設けられ、主動ベルトプーリは第二ベルトを通じて、第二従動ベルトプーリと接続され、第二ベルトは補助ベルトプーリを回り込み、第二ベルトは補助ベルトプーリと第二従動ベルトプーリとの間の部分においてガイド柱に平行し、且つ、所定の位置でプリントブラケットの端と固定されていることを特徴とする装置。
【請求項７】
請求項４に記載の植物及び人工植物の表面に絵又は文字をプリントする装置において、
前記ベルトは鋸歯ベルトであり、ベルトプーリは鋸歯付きのベルトプーリであることを特徴とする装置。
【請求項８】
請求項４に記載の植物及び人工植物の表面に絵又は文字をプリントする装置において、
前記伝動装置はモータにより駆動される歯車を含み、プリントブラケットに対応するラックが設けられて歯車ラック機構が形成され、モータは該歯車ラック機構によりプリントブラケットを動かしてハウジングに対して縦方向に滑動させることを特徴とする装置。
【請求項９】
請求項４に記載の植物及び人工植物の表面に絵又は文字をプリントする装置において、
前記伝動装置は縦方向にハウジングに設けられたスクリューを含み、該スクリューはモータの駆動で回転でき、対応するナットはプリントブラケットに固定されてナットスクリュー機構を形成し、モータは該ナットスクリュー機構を介してプリントブラケットを動かしてハウジングに対して縦方向に滑動させることを特徴とする装置。
【請求項１０】
請求項４に記載の植物及び人工植物の表面に絵又は文字をプリントする装置において、
ハウジングに滑り溝が設けられ、プリントブラケットの底部に、対応するスライダーを有し又は対応するスライダーが形成され、該ハウジングにはモータにより駆動されるクランクがさらに設けられ、該クランクはコネクティングロッドを通じてプリントブラケットと連接されてクランクスライダー機構を形成し、モータは該クランクスライダー機構を介してプリントブラケットを動かしてハウジングに対して縦方向に滑動させることを特徴とする装置。
【請求項１１】
請求項４に記載の植物及び人工植物の表面に絵又は文字をプリントする装置において、
モータが減速機構を介して伝動装置と接続されていることを特徴とする装置。
【請求項１２】
請求項２に記載の植物及び人工植物の表面に絵又は文字をプリントする装置において、
プリントブラケットがハウジングに固定され、ハウジングにさらに挟持装置駆動装置が設けられ、該駆動装置はコンピュータに接続され、挟持装置を駆動してプリントブラケットに対して縦方向に移動させることができることを特徴とする装置。
【請求項１３】
請求項１に記載の植物及び人工植物の表面に絵又は文字をプリントする装置において、
コンピュータに被プリント物の正確な位置とプリントプレビューを提供するための撮像装置が、ハウジング内にさらに設けられていることを特徴とする装置。
【請求項１４】
請求項１又は請求項１３に記載の植物及び人工植物の表面に絵又は文字をプリントする装置において、
挟持装置は支持材を含み、該支持材に上蓋がヒンジで連結され、該上蓋にプリント口が開けられていることを特徴とする装置。
【請求項１５】
請求項１４に記載の植物及び人工植物の表面に絵又は文字をプリントする装置において、
基部の中央部にブラケットが設けられ、ブラケットの高さが調節可能であることを特徴とする装置。
【請求項１６】
請求項１５に記載の植物及び人工植物の表面に絵又は文字をプリントする装置において、
支持材が「Ｕ」状であり、その一方がトーションバネにより上蓋にヒンジで連接され、上蓋の上表面中部の開口が形成され、支持材の他方はトーションバネによりフックにヒンジで連接され、上蓋の自由端側は勾配を有し、且つ、フックとラッチ機構を形成し、トーションバネの設置により上蓋を開放するように付勢させ、トーションバネの設置によりフックを支持材の右側と密着するように付勢させ、支持材の底部にはブラケットが設けられ、ブラケットの下部には細棒が形成され、細棒の下端が支持材の底部の相応の挿通孔に插通され、挿通孔の直径は細棒より略大きく、細棒が挿通孔を挿通した端部には位置制限ワッシャが設けられ、ブラケットと支持材の底部との間の細棒部分にバネが装着されていることを特徴とする装置。
【請求項１７】
請求項１に記載の植物及び人工植物の表面に絵又は文字をプリントする装置において、
前記コンピュータがハウジング内に統合され、該コンピュータは表示モジュール、格納モジュール、入力モジュール及びプリントモジュールを含み、バスを介して前記モジュールに接続された制御ユニットが設けられ、
前記制御ユニットは少なくとも一つのプログラマブル論理制御集積回路及びその周辺回路を含み、
前記格納モジュールは少なくとも一つの外付けメモリコネクトジャック及びそれにマッチする外付けメモリを含み、
前記入力モジュールがタッチパネル又は一組のパネルマイクロスイッチであることを特徴とする装置。
【請求項１８】
請求項１７に記載の植物及び人工植物の表面に絵又は文字をプリントする装置において、
前記プログラマブル論理制御集積回路が、ＭＣＵシングルチップマルチプロセッサ、又は、ＣＰＬＤ／ＦＰＧＡコンプレックス・プログラマブル・ロジック・デバイスであることを特徴とする装置。
【請求項１９】
請求項１７又は請求項１８に記載の植物及び人工植物の表面に絵又は文字をプリントする装置において、
前記プログラマブル論理制御集積回路のＩ／Ｏポートが、バスを介して前記表示モジュール、格納モジュール、入力モジュール、通信モジュール、費用計算モジュール及びプリントモジュールの対応ポートに接続されていることを特徴とする装置。
【請求項２０】
請求項１９に記載の植物及び人工植物の表面に絵又は文字をプリントする装置において、
前記プログラマブル論理制御集積回路がさらにバスを介して通信モジュール、費用計算モジュール及び／又は拡張インタフェースと接続されていることを特徴とする装置。
【請求項２１】
請求項１７に記載の植物及び人工植物の表面に絵又は文字をプリントする装置において、
前記表示モジュールが、液晶ディスプレイであることを特徴とする装置。
【請求項２２】
請求項１７に記載の植物及び人工植物の表面に絵又は文字をプリントする装置において、
前記通信モジュールが、有線ネットワークカード、無線ネットワークカード又はモデムであることを特徴とする装置。
【請求項２３】
請求項１９に記載の植物及び人工植物の表面に絵又は文字をプリントする装置において、
前記費用計算モジュールが、集金機及びその制御回路を含むことを特徴とする装置。
【請求項２４】
請求項１７に記載の植物及び人工植物の表面に絵又は文字をプリントする装置において、
ハウジングに、ユーザが提供した移動メモリ設備に接続され、該移動メモリ設備を読み取るための移動式メモリジャックが設けられ、該移動式メモリジャックがコンピュータに接続されていることを特徴とする装置。
【請求項２５】
請求項２４に記載の植物及び人工植物の表面に絵又は文字をプリントする装置において、
前記移動式メモリジャックが、ＵＳＢインタフェース、ＩＥＥＥ１３９４インタフェース、ＩｒＤＡ赤外インタフェース、又は、ＲＳ−２３２／４８５シリアルバスインタフェースであることを特徴とする装置。
【請求項２６】
請求項２５に記載の植物及び人工植物の表面に絵又は文字をプリントする装置において、
前記移動式メモリが、ＣＦカード、ＳＭカード、メモリスティック、ポータブルハードディスク、ＵＳＢメモリ、光ディスク、ＺＩＰドライバ又は他の移動可能なデータ読み書き及び格納可能な装置であることを特徴とする装置。
【請求項２７】
請求項１、請求項２又は請求項１７に記載の植物及び人工植物の表面に絵又は文字をプリントする装置において、
前記プリントユニットが、インクジェットプリントユニットであることを特徴とする装置。
【請求項２８】
請求項１、請求項２又は請求項１７に記載の植物及び人工植物の表面に絵又は文字をプリントする装置において、
花、造花、葉、果物の表面に絵又は文字をプリントするために用いられることを特徴とする装置。
【考案の詳細な説明】
【技術分野】
【０００１】
本考案は、プリンタに関し、特に植物及び人工植物の表面に絵や文字などをプリントする装置に関する。
【背景技術】
【０００２】
社会生活において、人々は日常、植物又は人工植物、例えば花、シルクフラワー、紅葉、果物などを贈ることで自分の感情を表している。しかしながら、人々の、流行の追求や個性などに対する要求が強くなるとともに、これらの物に自らカスタマイズした絵や文字などをプリントすることにより、自分の思想、感情を表す要求が高まっている。
【０００３】
従来、植物又は人工植物の表面に絵や文字などをプリントする際に用いられるのは、印刷方式であった。該方式は人々の個性化の要求を満たすことができるが、克服できない欠陥がある。それは、全ての印刷は製版が必要であり、工程が複雑で時間がかかり、面倒であり、当該技術の発展のボトルネックになり、普及し難しくなり、多数の人のニーズに応えられないということである。例えば、公開番号がＵＳ２００４００３１４１０号の米国特許出願明細書には、花に絵や文字などを印刷する方法が開示されている。該方法は転写方法を採用して実現されているが、プロセスが煩わし過ぎて、普及して広く使うことができず、且つ、マニュアル操作である。
【０００４】
これから分かるように、印刷方法で植物及び人工植物に絵や文字などをプリントすることはあまりいい方法ではない。
【０００５】
プリントと印刷の類似性により、人々は、プリント方法で前記問題を解決することを自然に思いつくが、従来のプリンタの種類において、レザープリントや熱転写プリントなどは、プリントするときに、プリントヘッドの局部が高温であり、媒体との間に一定の圧力があることが必要となるため、応用範囲が大きく限定され、壊れやすい物、例えば、上述した植物又は人工植物に対して適用できない。それに対して、インクジェットプリントであれば可能であるはずであり、実際に、上記米国特許において、インクジェットプリンタで花に絵や文字などをプリントすることができる案についても言及されているが、その案はマニュアル転写であり、対応する設備はない。
【０００６】
しかしながら、植物又は人工植物の形状による制限により、伝統的なインクジェットプリンターは、明らかに、プリントするために直接用いることができない。それは、植物及び人工植物が紙のように給紙経路に送り込むことができないためである。即ち、これらの物の表面に絵や文字などをプリントしようとする場合、必ず特別なプリント構成と回路を採用しなければならない。しかしながら、今までのところ、このように構成が特殊で、植物又は人工植物の表面に直接、絵や文字などをプリントすることができる装置はまだ出てきていない。
【特許文献１】米国特許公開公報ＵＳ２００４００３１４１０号
【考案の開示】
【考案が解決しようとする課題】
【０００７】
本考案が解決しようとする技術的課題は、花にリアルな感情をよりはっきりと伝えられるようにして、よりロマンチックな気分を有するように、プリント速度が速く、パターンがはっきりとしてきれいで、色があでやかで退色し難しく、かつ、パターン選択が自由な植物及び人工植物の表面に絵や文字などをプリントする設備を提供する。
【課題を解決するための手段】
【０００８】
本考案はハウジングを備え、該ハウジング内には、植物及び人工植物を挟持するための挟持装置と、その表面に絵や文字などをプリント可能なプリントユニットとが設けられ、プリントユニットが、外接されたコンピュータ、又はハウジング内に統合されたコンピュータに接続される。
【０００９】
プリントユニットはプリントブラケットを備え、該プリントブラケットが挟持装置に対して縦方向に移動し、該プリントブラケットにプリントヘッドが設けられ、該プリントヘッドはブラケットに対して横方向に移動可能である。プリントブラケットと挟持装置の一方はハウジングに固定され、他方は駆動装置に接続され、駆動装置はコンピュータに接続される。例えば、挟持装置がハウジングに固定されてもよく、ブラケット駆動装置はハウジングに設けられたモータを含み、プリントブラケットはハウジングと縦方向に滑動できる構造を形成し、プリントブラケットには相応の滑り溝が設けられ、モータは伝動装置によりプリントブラケットを動かして縦方向に滑動させる。伝動装置は下記の構成のいずれであってよい。
【００１０】
１.ハウジングに設けられた二つのベルトプーリを備え、これらはベルトにより連接され、ベルトが所定の位置でプリントブラケットに固定される。前記ベルトは鋸歯ベルトであり、ベルトプーリは鋸歯付きのベルトプーリである。
【００１１】
２.モータにより駆動される歯車を備え、プリントブラケットに対応するラックが設けられて歯車ラック機構が形成され、モータは該歯車ラック機構によりプリントブラケットを動かしてハウジングに対して縦方向に滑動させる。
【００１２】
３.縦方向にハウジングに設けられたスクリューを備え、該スクリューはモータの駆動で回転でき、対応するナットはプリントブラケットに固定されてナットスクリュー機構を形成し、モータは該ナットスクリュー機構を介してプリントブラケットを動かしてハウジングに対して縦方向に滑動させる。
【００１３】
４.ハウジングに滑り溝が設けられ、プリントブラケットの底部に、対応するスライダーを有し又は対応するスライダーが形成され、該ハウジングにはモータにより駆動されるクランクがさらに設けられ、該クランクはコネクティングロッドを通じてプリントブラケットと連接されてクランクスライダー機構を形成し、モータは該クランクスライダー機構を介してプリントブラケットを動かしてハウジングに対して縦方向に滑動させる。
【００１４】
前記モータは減速機構を介して伝動装置と接続可能であり、コンピュータに被プリント物の正確な位置とプリントプレビューを提供するための撮像装置が、ハウジング内にさらに設けられてもよい。挟持装置はハウジングのフロント部に設けられ、挟持装置は基部を含み、基部にフリップカバーがヒンジで連結され、該フリップカバーにはプリント口が開けられ、該基部の中央部にブラケットが設けられ、ブラケットの下部が調節ボルトで基部に接続されている。ハウジング内に、ユーザからの貨幣を識別して、余った貨幣をユーザに返却するための貨幣識別返却装置がさらに設けられ、該貨幣識別返却装置がコンピュータに接続される。
【００１５】
前記コンピュータはハウジング内に統合され、ハウジングに、ユーザが提供した移動メモリ設備に接続され、該移動メモリ設備を読み取るための移動式メモリジャックが設けられ、該移動式メモリジャックがコンピュータに接続される。前記移動式メモリコネクトジャックは、ＵＳＢインタフェース、ＩＥＥＥ１３９４インタフェース、ＩｒＤＡ赤外インタフェース、又は、ＲＳ−２３２／４８５シリアルバスインタフェースであってよい。前記移動式メモリは、ＣＦカード、ＳＭカード、メモリスティック、ポータブルハードディスク、ＵＳＢメモリ、光ディスク、ＺＩＰドライバ又は他の移動可能なデータ読み書き及び格納可能な装置であってもよい。
【００１６】
前記コンピュータは表示モジュール、格納モジュール、入力モジュール及びプリントモジュールを備え、バスを介して前記モジュールと接続された制御ユニットが設けられ、前記制御ユニットは少なくとも一つのプログラマブル論理制御集積回路及びその周辺回路を備え、前記格納モジュールは少なくとも一つの外付けメモリコネクトジャック及びそれにマッチする外付けメモリを備え、前記入力モジュールはタッチパネル又は一組のパネルマイクロスイッチである。
【００１７】
前記プログラマブル論理制御集積回路は、ＭＣＵシングルチップマルチプロセッサ、又は、ＣＰＬＤ／ＦＰＧＡコンプレックス・プログラマブル・ロジック・デバイスである。前記プログラマブル論理制御集積回路のＩ／Ｏポートは、バスを介して前記表示モジュール、格納モジュール、入力モジュール、通信モジュール、費用計算モジュール及びプリントモジュールの対応ポートに接続される。前記プログラマブル論理制御集積回路はさらにバスを介して通信モジュール、費用計算モジュール及び／又は拡張インタフェースと接続される。
【００１８】
前記表示モジュールは液晶ディスプレイである。前記通信モジュールは有線ネットワークカード、無線ネットワークカード又はモデムであってもよい。前記費用計算モジュールは集金機及びその制御回路を備える。
【００１９】
本考案に記載のプリントユニットはインクジェットプリントであり、植物及び人工植物、特に花、造花、葉、果物の表面に絵や文字などをプリントすることに適用可能である。これら物自身を利用して、情報を伝えられ、人々のニーズを満たすことができる。
【考案の効果】
【００２０】
本考案は下記のメリット及び有益な効果がある。
１.植物及び人工植物に直接、カラーの絵や文をプリントできる。
２.画像は、流行っているファッションに応じてオンライン更新及びカスタマイズできる。
３.小型カメラヘッドプログラムを採用して各種操作を制御し、プレビュー、画像のサイズの拡大縮小、角度の変更、全てのプリントプロセスに亘って時間に応じて表示することが制御できる。
４.描画速度が速く、数秒で完成できる。
【考案を実施するための最良の形態】
【００２１】
以下、本考案の実施例について、図面を参照しながら説明する。
【実施例１】
【００２２】
本実施例は花や造花にプリントするために用いられるものであり、ハウジング１０を含み、図１に示されるように、ハウジング１０は基部１１とそれとヒンジで連結する上蓋１２を含む。図２に示されるように、基部１１には縦方向に２本の平行な、水平なガイド柱１３が固設され、プリントブラケット２１の底部には、２本の対応するガイドスリーブ２２が設けられ、基部１１にはブラケットモータ３２が更に設けられ、ブラケットモータ３２は歯車減速機構３３を介して鋸歯付きの主動ベルトプーリ３４に接続され、主動ベルトプーリ３４は鋸歯ベルト３５を介して従動ベルトプーリ３６に接続され、鋸歯ベルト３５は所定の位置でプリントブラケット２１の底部に固定され、主動ベルトプーリ３４とベルト３５と従動ベルトプーリ３６により伝動装置３０が構成され、ブラケットモータ３２のモータ軸の回転は歯車減速機構３３と伝動装置によりプリントブラケット２１を稼動させ、ガイド柱１３に沿って滑動させる。
【００２３】
図２に示されるように、プリントブラケット２１には横方向のガイド柱２３とプリントヘッドモータ２４が水平に設置され、プリントヘッドモータ２４の主軸端部には歯車２５が設けられ、歯車２５はベルト２６を介して従動プーリ２７と連接され、ベルト２６は所定の位置でプリントヘッド２８に固定され、プリントヘッド２８はガイド柱２３に装着されて、滑動できる構造が形成される。プリントヘッドモータ２４とベルト２６がプリントヘッド２８を稼動させ、ガイド柱２３に沿って滑動させる。プリントブラケット２１はそれに設けられた部品とともにプリントユニット２０を構成する。
【００２４】
基部１１にはさらに花を挟むための挟持装置４０が設けられている。図３に示されるように、該挟持装置４０は、基部１１に固定された支持材４１を備え、該支持材４１は「Ｕ」状であり、その一方がトーションバネ４２により上蓋４３にヒンジで連接され、上蓋４３の上表面中部の開口４６が「天窓」を形成している。支持材４１の他方はトーションバネ４４によりフック４５にヒンジで連接され、上蓋４６の自由端側は勾配を有して形成され、フック４５とラッチ機構を形成することができる。また、トーションバネ４２の設置により上蓋４３を開放するように付勢させ、トーションバネ４４の設置によりフック４５を支持材４１の右側と密着するように付勢させる。支持材４１の底部にはブラケット５１が設けられ、ブラケット５１の下部には細棒５２が形成され、細棒５２の下端が支持材４１の底部の挿通孔５３に挿通され、挿通孔５３の直径は細棒５２より略大きく、細棒５２が挿通孔５３から完全に抜け出ることを防ぐために、細棒５２が挿通孔５３を挿通した端部には位置制限ワッシャ５４が設けられ、ブラケット５１と支持材４１の底部との間の細棒部分にバネ５５が装着されている。
【００２５】
ブラケット５１の具体的な形状は花の形状に基づき自由にデザインすることができ、図３のようなブラケットはバラ、チューリップ、牡丹などに適しており、図３のようなブラケットはユリ、オオベニウチワ（Ａｎｔｈｕｒｉｕｍ  Ａｎｄｒａｅａｎｕｍ）などに適している。
【００２６】
実践においては、ブラケットの下部も調節ボルトにより基部に連接してもよい。これも本考案の保護範囲内に属する。
【００２７】
ハウジング１０にはさらに挟持装置の真上方向の位置にカメラヘッド８０が設けられ、カメラヘッド８０は複数のデータラインを通じてコンピュータと接続されている。
【００２８】
実際に使用する際、仮に最初の状態で上蓋が閉じられているとすると、このとき、フック４５はトーションバネ４４の作用により上蓋４３をしっかりと引っ掛ける。上蓋４３を開けようとする場合、手で軽くフック４５を引くだけで、上蓋４３の自由端側がフック４５から脱出し、トーションバネ４２の作用により、自動的に回動してひっくり返って開き、手を放すとフック４５がもとの位置に戻る。そして、花をブラケット５１に置いて手で上蓋４６を閉じ、その自由端をフック４５に押し当てて自動的にロックさせる。この過程において、花は上蓋４３とブラケット５１の間に挟持され、ブラケット５１を一定の距離だけ押し下げる。バネ５５の作用により、花が比較的きっちり挟持され、プリントしやすい上に力が強すぎて花びらを傷つけることもない。そして、コンピュータによって、ブラケットモータ３２を介してプリントブラケット２１を花の真上方向まで移動させ、外接されたコンピュータのディスプレイに格納されたパターンが表示され、ユーザはコンピュータの入力装置を介して一つ又はいくつかのパターンを選択することができ、選択されたパターンの位置決めと調整に入る。コンピュータシステムは、カメラヘッドで花の現在位置の画像を撮影して、撮影された画像と選択されたパターンとを実施作業完成後の効果によって表示する。この状態で、システムはユーザからの調整コマンドを受け、パターンの位置、サイズ、姿勢、及びカラーに対して相応の変更を行い、パターンが特定の縁飾りと特別な効果を備えるように、ユーザの選択に基づき、パターンを自身に格納されているテンプレートと重ねるか否か決定する。この過程において、システムは予め設定されたアルゴリズムを用いて、パターンが画像と重ねられた後の効果が実施作業完成後の花の効果と完全に一致することを保障する。ユーザが調整に満足した後完成し、システムは画像データ、ユーザ選定パターンデータ、ユーザ調整データ及びプリントデータを処理してから得られた結果をプリントシステムまで送信して、プリントシステムよりユーザがカスタマイズしたパターンを花にプリントし、且つ、ピクチャ情報と時間情報をシステム格納設備に記録し、プリントプロセスにおいて、ブラケットモータ２１がプリントブラケット２１を動かして、水平に縦方向に沿って移動させるとともに、プリントヘッドモータ２４がプリンタ２８を動かして、ガイド柱２３に沿って水平に横方向に沿って移動させることにより、パターンがプリントされる。
【００２９】
本実施例のコンピュータ７０は、従来のいずれかの使用可能なコンピュータであり、対応する制御プログラムがインストールされていればよく、これらはいずれも本考案の保護範囲内に属する。
【実施例２】
【００３０】
実施例２は実施例１と比較すると、コンピュータ７０がハウジング１０内に統合され、表示装置と入力装置がハウジング１０の表面に設けられ、その回路は図５に示されるように、表示モジュール、格納モジュール、入力モジュール、通信モジュール、費用計算モジュール及びプリントモジュールがバスを介して、制御ユニットに接続され、該制御ユニットは少なくとも一つのプログラマブル論理制御集積回路及びその周辺回路を備えている。プログラマブル論理制御集積回路のＩ／Ｏポートはバスを介して上記表示モジュール、格納モジュール、入力モジュール、通信モジュール、費用計算モジュール及びプリントモジュールの対応ポートと接続され、格納モジュールは少なくとも一つの外付けメモリコネクトジャック及びそれにマッチする外付けメモリを備える。入力モジュールはタッチパネル又は一組のパネルマイクロスイッチであり、プログラマブル論理制御集積回路はさらにバスを介して拡張インタフェースに接続される。
【００３１】
ここで、プログラマブル論理制御集積回路は、例えば、ＭＣＵ（Ｍｉｃｒｏｃｏｍｐｕｔｅｒ  Ｕｎｉｔ）シングルチップマルチプロセッサ、ＣＰＬＤ（Ｃｏｍｐｌｅｘ  Ｐｒｏｇｒａｍｍａｂｌｅ  Ｌｏｇｉｃ  Ｄｅｖｉｃｅ）、又は、ＦＰＧＡ（Ｆｉｅｌｄ  Ｐｒｏｇｒａｍｍａｂｌｅ  Ｇａｔｅ  Ａｒｒａｙ）コンプレックス・プログラマブル・ロジック・デバイスである。
【００３２】
表示モジュールは液晶ディスプレイである。
【００３３】
外付けメモリコネクトジャックは、例えばＵＳＢインタフェース、ＩＥＥＥ１３９４インタフェース、ＩｒＤＡ赤外インタフェース或いはＲＳ−２３２／４８５シリアルバスインタフェースであってもよく、外付けメモリは、例えばＣＦカード、ＳＭカード、メモリスティック、ポータブルハードディスク、ＵＳＢメモリ、光ディスク、ＺＩＰドライバ又は他の移動可能なデータ読み書き及び格納可能な装置であってもよい。
【００３４】
通信モジュールは、有線ネットワークカード、無線ネットワークカード又はモデムであってもいい。
【００３５】
費用計算モジュールは集金機及びその制御回路を備える。
【００３６】
図６において、制御ユニットはシステム全体の正常運転を保持することに用いられ、システムにおける他のモジュール又は外部からの入力情報を受け取り、異なる情報に応じて、相応の反応をする。
【００３７】
外付けメモリコネクトジャックが設けられているので、ユーザがシステム内にあるパターンを認めない場合、又は自分で特別なパターンを作りたい場合、ユーザは自ら持参した外付けメモリ設備を挿入でき、システムは自動的に該設備が存在することを検知でき、該格納設備中の有効なピクチャファイルを一定の比例でズームしてからディスプレイに表示して、ユーザの選択に給する。
【００３８】
システムは更に貨幣識別返却システムと接続することができ、システム全体でセルフサービス機能が実現される。費用計算モジュールは集金機から送られた信号を受け取ることにより、シングルチップマルチプロセッサのプログラムからの指令に従い、費用計算機能を実現する。該システムはユーザから提供された貨幣の真贋及び額面金額を識別することができ、データを制御ユニットまで送信し、制御ユニットは貨幣価値と時間情報を記録する。ユーザが消費残額を請求した際、システムはシステム管理モデルによりユーザが提供したお金と消費金額との差額を統計して、貨幣返却システムにより残っているお金をユーザに返却して、返却数と時間情報を記録する。
【００３９】
図７において、プログラマブル論理制御集積回路Ｘ１５のＩ／ＯポートＩＮＴ１、ＩＮＴ０は、プラグＣＯＮＩＮ、ＣＯＮＯＵＴを介して他のモジュールのＩ／Ｏポートにそれぞれ接続され、Ｐ１.３端は、バッファ回路Ｕ２とプラグＣＯＮＲを経て、その他のモジュールの相応のポートに対応して接続される。Ｐ１．７端は、プリントモジュールの作動状態を制御するように、駆動回路Ｑ１、リレーＲＥＬＡＹ及びプラグＪＩＮ、ＪＯＵＴに接続される。
【００４０】
シングルチップマルチプロセッサの各ポートの機能はプログラムによって定義可能であるので、本実施例の回路図の具体的な接続関係は意図を示すためだけのものであり、当業者は従来技術を利用して本実施例における具体的な接続関係とは異なる、同じ機能を備える具体的な回路を設計することができる。そのため、ここでは、詳細な説明を省略する。
【００４１】
シングルチップマルチプロセッサを、バス（データバス、制御バス及び／又はアドレスバスを含む）を介して液晶ディスプレイ、タッチパネル、パネルマイクロスイッチ、外付けメモリコネクトジャック、有線ネットワークカード、無線ネットワークカード、モデム、プリンタ制御回路及び集金機制御回路に接続する技術は従来技術であるので、ここでは、詳細な説明を省略する。
【００４２】
集積回路Ｘ１５がシングルチップマルチプロセッサのチップを選択して使用する場合、Ｍｉｃｒｏｃｈｉｐ社のＰＩＣシリーズＰＩＣ１６Ｃ６１、Ａｔｍｅｌ社製のＡＴ８９Ｃ２０５１又はＰｈｉｌｉｐｓ社の８９シリーズなどの型番のシングルチップマルチプロセッサの集積回路チップを採用することができる。集積回路Ｘ１５がＣＰＬＤ又はＦＰＧＡ回路チップを選択して使用する場合、Ｘｉｌｉｎｘ社のＣＰＬＤシリーズ９３５６チップを採用してもよい。また、Ａｌｔｅｒａ社のＦｌｅｘシリーズとＡｔｍｅｌ社の同等の機能のチップを採用してもよい。
【００４３】
本実施例では、プログラマブル論理制御集積回路（シングルチップマルチプロセッサ）を採用してプリントするのに必要な各制御機能を実現するので、設備全体の体積を小さくでき、設備が故障する確立を低減し、従来設備の各種機能を実現できる基礎の上に、設備一式の製造コストと売価を大幅に低減し、小売店の経営コストや顧客の消費費用を低減し、設備のデスクトップ化又は小型化を実現でき、新しい市場範囲が開拓されるとともに、設備の更新とアップデートにも便利である。
【００４４】
本実施例では、プリントブラケットを動かし移動させる伝動装置も実施例１とは異なり、該伝動装置は、モータにより駆動される歯車を含み、プリントブラケットに対応するラックが設けられて歯車ラック機構が形成され、モータは該歯車ラック機構によりプリントブラケットを動かしてハウジングに対して縦方向に滑動させる。実施例２における他の部分は実施例と同様である。
【実施例３】
【００４５】
図８に示されるように、実施例３は、実施例１と比較すると、伝動装置が、基部１１に固定されたブラケットモータ３２を含み、ブラケットモータ３２は主動ベルトプーリ３４と連接され、主動ベルトプーリ３４はベルト３５を通じて従動ベルトプーリ３６と連接され、ベルト３５は所定の位置でプリントブラケット２１の左側の底部に固定されるとともに、プリントブラケット２１の他端位置に補助ベルトプーリ３７と第二従動ベルトプーリ３８とが設けられ、主動ベルトプーリ３４は第二ベルト３９を通じて、第二従動ベルトプーリ３８と接続され、第二ベルト３９は補助ベルト３７を回り込み、第二ベルト３９は、補助ベルトプーリ３７と第二従動ベルトプーリ３８との間の部分においてガイド柱１３に平行し、且つ、その所定の位置でプリントブラケット２１の端と固定される。実際に使用する場合、ブラケット３２が回転し、主動ベルトプーリ３４は２本のベルトを通じて、プリントブラケット２１の両端を同時に駆動してガイド柱１３に沿って滑動させる。実施例１と比較すると、プリントブラケット２１の両端が同時に圧力を受けているので、バランスがよい。
【００４６】
本実施例では、挟持装置の構成は、図９のように、「Ｖ」形状の支持材４１を備え、その片側にヒンジで上蓋４３が連接され、上蓋４３の中央部において開口４６を備えることにより「天窓」が形成され、上蓋４３が閉じられると、ピンの類いの構造で閉鎖される。支持材４１の上表面には花を収納するためのキャビティが設けられ、該キャビティとブラケットの前表面において花枝を収納するための狭くて長いスリットが開けられている。支持材４１の下部にはそれをハウジングに装着するための装着孔が設けられている。実際に使用する場合、花をキャビティに置き、花枝をスリットに係り止めるように花を安定に保持して、上蓋４３をかぶせて閉鎖し、開口４６を介してプリントすればよい。
【００４７】
また、上記挟持装置をハウジングに沿って水平に縦方向に滑動させてもよい。このようにすれば、挟持装置を引き出して花を置いた後、さらに押し込んでからプリントし、プリントが終わってから花を取り出すことができる。このような機械構成は従来技術であるので、具体的な構成は説明しないが、このための処置も依然、本考案の保護範囲内である。
【００４８】
上記実施例の伝動装置では、二種類の比較的優れた構成を開示したが、実際には他のいずれの従来の構成を採用してもよく、下記三つのいずれかを含む使用可能な伝動装置は本考案の保護範囲に属する。即ち、１.伝動装置は縦方向にハウジングに設けられたスクリューを含み、該スクリューはモータの駆動で回転でき、対応するナットはプリントブラケットに固定されてナットスクリュー機構を形成し、モータは該ナットスクリュー機構を介してプリントブラケットを動かしてハウジングに対して縦方向に滑動させる。２.ハウジングに滑り溝が設けられ、プリントブラケットの底部に、対応するスライダーを有し又は対応するスライダーが形成され、該ハウジングにはモータにより駆動されるクランクがさらに設けられ、該クランクがコネクティングロッドを通じてプリントブラケットと連接されてクランクスライダー機構を形成する。モータは該クランクスライダー機構を介してプリントブラケットを動かし、ハウジングに対して縦方向に滑動させる。
【００４９】
上記実施例では、挟持装置がハウジングに固定され、プリントブラケットがハウジングに対して滑動するが、実践において、全く逆にしてもよい。即ち、プリントブラケットがハウジングに固定され、挟持装置がハウジングに対して滑動してもよい。これにより、プリントブラケットと挟持装置の一方がハウジングに固定され、他方が駆動装置に連接され、駆動装置がコンピュータに接続される。これらは全て本考案の保護範囲内に属する。
【００５０】
上記実施例では、花にプリントすることを例として説明したが、ブラケットの形状は、プリントされる物に応じて、適宜設計することが可能である。実践において、挟持装置及び／又はそのブラケットが脱着可能なものであれば、ブラケットを交換することで異なる物に適用することができる。
【００５１】
上記内容から分かるように、本考案は植物及び人工植物、特に花、造花、葉、果物などの表面に絵や文字などをプリントすることができ、これら物自身を利用して情報を伝えられ、人々のニーズを満たすことができる。
【００５２】
本考案の実施例が開示するものは、比較的優れた実施例であるが、これに限定されず、当業者が、極めて容易に、上記実施例に基づいて本考案の主旨を理解して行なった派生及び変形は、本考案の主旨から逸脱しない限り、すべて当該考案の保護の範囲内である。
【図面の簡単な説明】
【００５３】
【図１】本考案の実施例１の全体構成の概略図である。
【図２】図１の内部構成の概略図である。
【図３】実施例１の挟持装置の構成の概略図である。
【図４】他のブラケットの構成の概略図である。
【図５】実施例２のコンピュータの原理図である。
【図６】実施例２の操作を示すフローチャートである。
【図７】実施例２の電気回路図である。
【図８】実施例３の上方から見た透視図である。
【図９】実施例３のブラケットの構成の概略図である。
【図１】
0003141795.tif 000003
【図２】
0003141795.tif 000004
【図３】
0003141795.tif 000005
【図４】
0003141795.tif 000006
【図５】
0003141795.tif 000007
【図６】
0003141795.tif 000008
【図７】
0003141795.tif 000009
【図８】
0003141795.tif 000010
【図９】
0003141795.tif 000011